(57)【要約】【課題】住宅における情報を安価かつ簡易に収集することができる情報収集方法、端末及び情報収集システムを提供すること。【解決手段】サーバが、アナログ固定電話回線を経由して、オンフック又はオフフックのいずれかのフック状態をとる端末に架電して得られた情報に基づいて、該端末がいずれのフック状態であるかを検出し、オンフック及びオフフックに割り当てられた検知結果と、取得したフック状態の情報とに基づいて、端末が設置されている空間の状態情報を判定し、該判定した状態情報を収集する。【選択図】図１
2020022132.tif 000002
【特許請求の範囲】
【請求項１】
サーバが、
アナログ固定電話回線を経由して、オンフック又はオフフックのいずれかのフック状態をとる端末に架電して得られた情報に基づいて、該端末がいずれのフック状態であるかを検出し、
前記オンフック及び前記オフフックに割り当てられた検知結果と、取得したフック状態の情報とに基づいて、前記端末が設置されている空間の状態情報を判定し、該判定した状態情報を収集する
ことを特徴とする情報収集方法。
【請求項２】
前記端末は、
住宅内に設けられ、
該住宅内において物体の動きを検出したか否かによって、前記フック状態を前記オンフック又は前記オフフックのいずれかに切り替え、
前記サーバが、
前記オンフック及び前記オフフックに対して予め割り当てられた設定に応じて、前記住宅内における人の在宅／不在を判定する
ことを特徴とする請求項１に記載の情報収集方法。
【請求項３】
アナログ固定電話回線と接続し、該アナログ固定電話回線を介した給電によって駆動する端末であって、
検出領域における状態の変化を検出する検出部と、
前記アナログ固定電話回線の終端部における抵抗値を第１値又は第２値に切り替えるスイッチ部と、
を備え、
前記スイッチ部は、前記検出部が前記検出領域における状態の変化を検出した際に前記抵抗値を前記第１値に切り替える
ことを特徴とする端末。
【請求項４】
オンフック又はオフフックのいずれかのフック状態をとる端末と、
アナログ固定電話回線を経由して、前記端末に架電して情報を取得するサーバと、
を備え、
前記サーバは、
前記アナログ固定電話回線を経由して、前記端末に架電して得られた情報に基づいて、該端末がいずれのフック状態であるかを検出し、
前記オンフック及び前記オフフックに割り当てられた検知結果と、取得したフック状態の情報とに基づいて、前記端末が設置されている空間の状態情報を判定し、該判定した状態情報を収集する
ことを特徴とする情報収集システム。
【発明の詳細な説明】
【技術分野】
【０００１】
本発明は、アナログ固定電話回線を利用した情報収集方法、端末及び情報収集システムに関する。
【背景技術】
【０００２】
従来、住宅内における人の在宅情報を取得する技術が知られている（例えば、特許文献１を参照）。特許文献１では、有線ケーブルインフラ基盤を利用して、契約している住宅の在宅情報を含む生活リズムの監視を行っている。
【先行技術文献】
【特許文献】
【０００３】
【特許文献１】特開２０１０−３３１２６号公報
【発明の概要】
【発明が解決しようとする課題】
【０００４】
ところで、住宅における上述した在宅情報等の情報を安価かつ簡易に収集できる技術が求められている。
【０００５】
本発明は、上記に鑑みてなされたものであって、住宅における情報を安価かつ簡易に収集することができる情報収集方法、端末及び情報収集システムを提供することを目的とする。
【課題を解決するための手段】
【０００６】
上述した課題を解決し、目的を達成するために、本発明の一態様に係る情報収集方法は、サーバが、アナログ固定電話回線を経由して、オンフック又はオフフックのいずれかのフック状態をとる端末に架電して得られた情報に基づいて、該端末がいずれのフック状態であるかを検出し、前記オンフック及び前記オフフックに割り当てられた検知結果と、取得したフック状態の情報とに基づいて、前記端末が設置されている空間の状態情報を判定し、該判定した状態情報を収集することを特徴とする。
【０００７】
また、本発明の一態様に係る情報収集方法は、前記端末は、住宅内に設けられ、該住宅内において物体の動きを検出したか否かによって、前記フック状態を前記オンフック又は前記オフフックのいずれかに切り替え、前記サーバが、前記オンフック及び前記オフフックに対して予め割り当てられた設定に応じて、前記住宅内における人の在宅／不在を判定することを特徴とする。
【０００８】
また、本発明の一態様に係る端末は、アナログ固定電話回線と接続し、該アナログ固定電話回線を介した給電によって駆動する端末であって、検出領域における状態の変化を検出する検出部と、前記アナログ固定電話回線の終端部における抵抗値を第１値又は第２値に切り替えるスイッチ部と、を備え、前記スイッチ部は、前記検出部が前記検出領域における状態の変化を検出した際に前記抵抗値を前記第１値に切り替えることを特徴とする。
【０００９】
また、本発明の一態様に係る情報収集システムは、オンフック又はオフフックのいずれかのフック状態をとる端末と、アナログ固定電話回線を経由して、前記端末に架電して情報を取得するサーバと、を備え、前記サーバは、前記アナログ固定電話回線を経由して、前記端末に架電して得られた情報に基づいて、該端末がいずれのフック状態であるかを検出し、前記オンフック及び前記オフフックに割り当てられた検知結果と、取得したフック状態の情報とに基づいて、前記端末が設置されている空間の状態情報を判定し、該判定した状態情報を収集することを特徴とする。
【発明の効果】
【００１０】
本発明にかかる情報収集方法、端末及び情報収集システムは、住宅における情報を安価かつ簡易に収集することができるという効果を奏する。
【図面の簡単な説明】
【００１１】
【図１】図１は、本発明の一実施の形態に係る情報収集システムの概略構成を示す模式図である。
【図２】図２は、本発明の一実施の形態に係る情報収集システムの構成を示すブロック図である。
【図３】図３は、本発明の一実施の形態に係る情報収集方法を説明するフローチャートであって、端末の動作を説明するフローチャートである。
【図４】図４は、本発明の一実施の形態に係る情報収集方法を説明するフローチャートであって、サーバの動作を説明するフローチャートである。
【発明を実施するための形態】
【００１２】
以下に、本発明にかかる情報収集方法の実施例を図面に基づいて詳細に説明する。以下の実施の形態では、情報収集方法を実施するシステムの一例として、情報収集システムを説明する。なお、この実施例によりこの発明が限定されるものではない。
【００１３】
（実施の形態）
図１は、本発明の一実施の形態に係る情報収集システムの概略構成を示す模式図である。図２は、本発明の一実施の形態に係る情報収集システムの構成を示すブロック図である。図１、２に示す情報収集システム１は、情報収集対象である物体（人Ｈ）が生活する住宅１０と、住宅１０に架電して情報を収集するサービスセンタ２０と、住宅１０及びサービスセンタ２０の間のアナログ信号の送受信を中継する中継局３０とを備える。住宅１０及び中継局３０、サービスセンタ２０及び中継局３０は、それぞれメタル回線５０によって接続されている。このメタル回線５０は、例えば、電柱４０に架渉されるアナログ固定電話回線である。なお、以下では、住宅１０とサービスセンタ２０との間に、中継局３０が一つ介在している例を説明するが、住宅１０とサービスセンタ２０とは、複数の中継局（電話回線網）を介して信号を送受信してもよい。
【００１４】
ここで、本実施の形態に係る情報収集方法が適用される住宅１０としては、メタル回線が宅内に引き込まれた住宅がある。
【００１５】
住宅１０には、メタル回線５０に接続する端末１１が設置されている。端末１１は、ケーブル１２及びモジュラージャックを介してメタル回線５０に接続される。端末１１は、メタル回線５０を経由して中継局３０から供給される電力によって駆動する。ここで、端末１１には、例えば−４８Ｖの直流電圧が中継局３０から供給される。
端末１１は、オンフック又はオフフックのいずれかのフック状態をとる。
端末１１は、検出部１３、接続部１４、スイッチ部１５及び制御部１６を有する。
【００１６】
検出部１３は、検出領域における状態の変化を検出する。本実施の形態において、検出部１３は、物体（ここでは人Ｈ）の動きによる変化を検出する。具体的には、検出部１３は、赤外線センサ、光センサ、熱センサ、音波センサ、音声センサ、照度センサ、開閉センサ、タグ検出センサ、タッチセンサの少なくとも一つを用いて構成される。検出部１３は、例えば、赤外線センサを用いて構成される場合、検出領域ＲS内において出射した赤外線が、人Ｈの通過によって反射して返って来た赤外線を検知するか、或いは人Ｈが自ら発生する赤外線を検知し、この赤外線の変化により人Ｈの動きを検出する。また、検出部１３が、熱センサを用いて構成される場合、検出領域ＲS内における温度の変化を検出する。検出部１３は、物体の動きを検出した場合に、スイッチ部１５に検出結果（信号）を出力する。
【００１７】
接続部１４は、ケーブル１２と接続し、該ケーブル１２から供給される電力を、各部（検出部１３、スイッチ部１５及び制御部１６）に供給する。接続部１４は、端末１１の終端部を構成する。
【００１８】
スイッチ部１５は、検出部１３の検出結果に基づいて抵抗値を切り替える。具体的に、スイッチ部１５は、検出部１３によって物体の動きが検出されない場合、すなわち検出部１３から信号を受信していない場合は、端末１１の全体抵抗値が１Ｍ（＝１０6）Ω以上の値（第２値）になるように設定する。これに対し、スイッチ部１５は、検出部１３によって物体の動きが検出された場合、すなわち検出部１３から信号を受信した場合は、端末１１の全体抵抗値が５０〜３００Ωの値（第１値）になるように設定する。ここで、第１値及び第２値は、それぞれ上述したフック状態のいずれかに対応する。スイッチ部１５が抵抗値を切り替えることで、端末１１の外部からみた全体抵抗値が変化する。
【００１９】
制御部１６は、サービスセンタ２０の各部の動作を制御する。制御部１６は、マイクロコンピュータや、その他ＩＣ（Integrated  Circuit）等を用いて構成される。
【００２０】
サービスセンタ２０は、サーバ２１及び電話装置２２を有する。
サーバ２１は、制御部２１１、割当部２１２及び記憶部２１３を有する。
【００２１】
制御部２１１は、サービスセンタ２０の各部の動作を制御する。制御部２１１は、ＣＰＵ（Central  Processing  Unit）等の汎用プロセッサや、ＦＰＧＡ（Field-Programmable  Gate  Array）、ＡＳＩＣ（Application  Specific  Integrated  Circuit）等の特定の機能を実行する専用プロセッサを用いて構成される。
【００２２】
割当部２１２は、取得した抵抗値と、抵抗値に割り当てられた検知結果とに基づいて、端末１１が設置されている空間の状態情報を判定する。具体的に、割当部２１２は、住宅１０（端末１１）に架電して取得した抵抗値に応じて、住宅１０における人Ｈの在宅／不在を割り当てる。割当部２１２は、例えば、５０〜３００Ω（第１値）に在宅、１ＭΩ以上（第２値）に不在が割り当てられている場合、取得した抵抗値に応じて在宅／不在を割り当て、その取得時刻における住宅１０の在宅情報を生成する。
【００２３】
記憶部２１３は、サーバ２１が動作を実行するためのプログラム等を記憶する。記憶部２１３は、ＲＡＭ（Random  Access  Memory）やＲＯＭ（Read  Only  Memory）、ＨＤＤ（Hard  Disk  Drive）、その他記録媒体等を用いて構成される。記憶部２１３は、各住宅に割り当てられている電話番号の管理データや、割当部２１２が生成した在宅情報を、住宅１０と対応付けて記憶する。
【００２４】
電話装置２２は、中継局３０を介して住宅１０（端末１１）に架電し、端末１１から抵抗値を取得する。電話装置２２は、取得した抵抗値を、住宅１０の識別番号（例えば電話番号）に関連付けてサーバ２１に出力する。
【００２５】
中継局３０は、交換機３１及びＭＤＦ（Main  Distributing  Frame）３２を有する。
【００２６】
交換機３１は、電話回線の経路を切り替える役割を担う。
【００２７】
ＭＤＦ３２は、サービスセンタ２０から引き込まれた複数の電話回線をまとめて管理する集線盤を用いて構成される。図１、２に示す住宅１０の端末１１には、ＭＤＦ３２が管理する複数の電話回線のうちの一つが分配される。
【００２８】
図３は、本発明の一実施の形態に係る情報収集方法を説明するフローチャートであって、端末の動作を説明するフローチャートである。端末１１では、物体の動き検出による抵抗値の切り替え処理を実行する。
【００２９】
制御部１６は、検出部１３が物体の動きを検出したか否かを判定する（ステップＳ１０１）。ここで、検出部１１が物体の動きを検出し、信号を出力していると判断すると（ステップＳ１０１：Ｙｅｓ）、ステップＳ１０２に移行する。これに対し、検出部１１が物体の動きを検出しておらず、信号を出力していないと判断すると（ステップＳ１０１：Ｎｏ）、ステップＳ１０３に移行する。
【００３０】
ステップＳ１０２において、スイッチ部１５は、端末１１の全体抵抗値が５０〜３００Ω（第１値）となるように切り替える。
【００３１】
また、ステップＳ１０３において、スイッチ部１５は、端末１１の全体抵抗値が１ＭΩ以上（第２値）となるように切り替える。
【００３２】
なお、スイッチ部１５は、ステップＳ１０２又はステップＳ１０３において、切替前後で抵抗値が変化しない場合は、その抵抗値を維持する。
【００３３】
上述した抵抗値の切り替え処理によって、物体の動きに応じて全体抵抗値が切り替えられる。端末１１は、メタル回線５０から電力が供給されている間、例えば所定の時間間隔で上述した抵抗値の切り替え処理を実行してもよいし、逐次、抵抗値の切り替え処理を実行してもよい。
【００３４】
図４は、本発明の一実施の形態に係る情報収集方法を説明するフローチャートであって、サーバの動作を説明するフローチャートである。
【００３５】
サーバ２１において、制御部２１１は、端末１１への入電指示があるか否かを判断する（ステップＳ２０１）。入電指示は、図示しない入力部を介して管理者から入力されるか、予め設定された入電時刻又はその入電時刻が過ぎているか否かを判断する。制御部２１１は、端末１１への入電指示があると判断した場合（ステップＳ２０１：Ｙｅｓ）、ステップＳ２０２に移行する。これに対し、制御部２１１は、端末１１への入電指示がないと判断した場合（ステップＳ２０１：Ｎｏ）、入電指示の確認を繰り返す。
【００３６】
ステップＳ２０２において、制御部２１１は、電話装置２２を制御して端末１１への入電処理を実行する。ステップＳ２０２では、電話装置２２が端末１１に架電する。
【００３７】
ステップＳ２０２に続くステップＳ２０３において、電話装置２２によって端末１１に架電し、端末１１の抵抗値を取得する。
【００３８】
抵抗値を取得すると、割当部２１２が、得られた抵抗値と、予め設定されている割り付けとに応じて、在宅／不在を割り当てる（ステップＳ２０４）。割当部２１２は、割り当てた在宅／不在の情報と、端末１１に対応する住宅１０とを対応付けた在宅情報を生成する。
【００３９】
ステップＳ２０４に続くステップＳ２０５において、制御部２１１は、生成された在宅情報を、記憶部２１３に記憶させる。
【００４０】
以上説明した処理によって、サーバ２１は住宅１０の在宅／不在に関する在宅情報を収集する。
【００４１】
ステップＳ２０５に続くステップＳ２０６において、制御部２１１は、在宅情報生成処理を終了するか否かを判断する。制御部２１１は、在宅情報生成処理を終了する旨の指示が入力される場合（ステップＳ２０６：Ｙｅｓ）、処理を終了する。これに対し、制御部２１１は、在宅情報生成処理を終了する旨の指示が入力されていない場合（ステップＳ２０６：Ｎｏ）、ステップＳ２０１に戻り、上述した処理を繰り返す。このように、本実施の形態に係る情報収集方法は、住宅１０（端末１１）からみてサービスセンタ２０側からのプル型の情報収集処理となっている。サービスセンタ２０側からのプル型とすることによって、端末１１を低消費電力で動作させることができる。
【００４２】
以上説明した実施の形態では、メタル回線を経由して供給される電力によって駆動する端末１１において、物体の動きの検出／被検出に応じて抵抗値を二つの値のいずれかを取るように設定し、サーバ２１側では、取得した抵抗値と、抵抗値に割り当てられた人の在宅／不在とに基づいて、在宅情報を生成するようにした。本実施の形態によれば、端末１１を駆動させるための電源をメタル回線以外で確保する必要がなく、在宅／不在の情報生成に用いる値も二つのみとしたので、住宅の在宅情報を安価かつ簡易に収集することができる。
【００４３】
また、上述した実施の形態によれば、メタル回線５０を介して供給される電力によって端末１１を駆動させるため、商用電源の停電時においても検出処理を実行することができる。
【００４４】
また、上述した実施の形態において、定期的に生成される在宅情報を蓄積し、この蓄積した在宅情報、或いは、この蓄積した在宅情報をもとにログ分析した情報によって、その住宅１０における在宅／不在に関する情報の精度を向上することができる。
【００４５】
また、上述した実施の形態において、検出部１３を、複数のセンサを用いて構成してもよい。検出部１３が複数のセンサを有することによって、検出精度を向上させることができる。
【００４６】
また、上述した実施の形態において、複数の検出部１３を、複数の部屋に設けられたモジュラージャックにそれぞれ接続させた構成としてもよい。各部屋に検出部１３を設けることによって、住宅１０に部屋が複数ある場合であっても、もれなく在宅／不在を検出することができる。
ここで、二つの部屋に検出部１３を設けた場合に検出される抵抗値について説明する。
例えば、検出部１３を二つの部屋（ここでは部屋Ａ、部屋Ｂとする）に設けた場合、各部屋で検出される抵抗値、及び部屋Ａと部屋Ｂとの合成抵抗値は、以下の通りとなる。
部屋Ａの抵抗値（Ω）    部屋Ｂの抵抗値（Ω）    合成抵抗値（Ω）
第２値                  第２値                第２値相当
第１値                  第２値                第１値相当
第２値                  第１値                第１値相当
第１値                  第１値                第１値相当
上記から分かるように、いずれかの部屋において物体の動きが検出されれば、合成抵抗値が第１値相当となるため、住宅１０として抵抗値は第１値相当となり、人Ｈがいる部屋によらず、在宅／不在を検出することができる。
【００４７】
上述した情報収集方法によって収集された在宅情報は、例えば、住宅１０における安否確認に用いることができる。具体的には、親族等がサービスセンタ２０を介して在宅情報を閲覧することによって、住宅１０に居るはずの人Ｈが不在である状況や、住宅１０に居ながら体調不良等によって動きが確認できない状況を遠隔地にいながら確認することができる。
また、検出部１３として熱センサを用いた場合には、住宅１０における温度の正常／異常を確認することができる。具体的には、大きな温度変化や、室温が例えば５０℃以上であることを検出し、その検出情報に正常／異常を割り当てることによって、住宅１０において火事が発生しているか否かを判断することができる。
また、検出部１３として照度センサを用いた場合には、住宅１０の照明の点灯／消灯状態を確認することができる。
また、検出部１３として開閉センサを用いた場合には、住宅１０のドアの開閉状態を確認することができる。
また、検出部１３として音声センサを用いた場合には、住宅１０の騒音状態を確認することができる。
また、検出部１３としてＲＦＩＤ（Radio  Frequency  Identification）タグを検出するセンサを用いた場合には、住宅１０内において、ＲＦＩＤタグが付与された物体が、例えば端末１１の１０ｍ以内の距離にいるか否かを確認することができる。
このように、センサの検出結果に応じて切り替わる第１値又は第２値によって、サーバ２１が、端末が設置されている空間の状態情報を判定することができる。
【００４８】
このほか、検出部１３が、住宅１０に設けられているボタンの押下を検出するようにしてもよい。例えば照明スイッチや、緊急ボタンの押下が押されているか否かを検出する。緊急ボタンとしては、例えば、人Ｈが体調不良の際に押下するボタンが挙げられる。
【符号の説明】
【００４９】
１  情報収集システム
１０  住宅
１１  端末
１２  ケーブル
１３  検出部
１４  接続部
１５  スイッチ部
１６、２１１  制御部
２０  サービスセンタ
２１  サーバ
２２  電話装置
３０  中継局
３１  交換機
３２  ＭＤＦ
４０  電柱
５０  メタル回線
２１２  割当部
２１３  記憶部
【図１】
2020022132.tif 000003
【図２】
2020022132.tif 000004
【図３】
2020022132.tif 000005
【図４】
2020022132.tif 000006